(57)【特許請求の範囲】
【請求項１】
プラスチックシートからなる表面シートと裏面シートとを積層させると共に隣接する２辺が閉塞され、表面シートの略中央から閉塞された２辺が交わる角部に向かってディスクの中心穴の径より小さな間隔の２本の直線状切込みと半円状の切込みを設けることにより、先端形状が半円状の係止片を形成してなり、表面シートと裏面シートの間に位置させたディスクに対し、表面シートの係止片をディスクの中心穴に挿入させてディスクの脱落を防止することができるディスクホルダー。
【請求項２】
ディスクの記録面と接するシート面を、ディスクより硬度の低いシートとすることを特徴とする請求項１に記載のディスクホルダー。
【請求項３】
表面シートは、引張弾性率２００ＭＰａ以上、摩擦係数１．０以下、プリネル硬度５以上、ロックウエル硬度Ｒ−６０以上、厚み０．１〜１．０ｍｍの熱可塑性樹脂よりなり、ポリプロピレン、ポリエチレン等のポリオレフィン、ポリカーボネート、アクリル樹脂、ポリスチレン、ＡＢＳ樹脂、ポリエステル樹脂、生分解性樹脂、塩ビ樹脂単体、或いは複合化素材からなることを特徴とする請求項１又は２に記載のディスクホルダー。
【請求項４】
表面シート又は裏面シートは、硬化が速く熱履歴の少ない油性インキや紫外線硬化型インキ、電子線硬化型インキなどをシートの寸法を変化させないオフセット印刷、グラビア印刷、フレキソ印刷、スクリーン印刷などにて印刷したプラスチックシートであることを特徴とする請求項１〜３の何れか一項に記載のディスクホルダー。
【請求項５】
閉塞される２辺は、屈曲曲げや筋押し、ウエルドなどの加工にて形成されることを特徴とする請求項１〜４の何れか一項に記載のディスクホルダー。
【発明の詳細な説明】
【０００１】
【発明の属する技術分野】
本発明は、薄くて中央穴を有する各種のディスクを安定に且つ容易に収納、保持して不慮の脱落を防止することができるディスクホルダーに関する。
【０００２】
【従来の技術】
コンパクトディスク（ＣＤ）やＣＤ−ＲＯＭ、ＣＤ−Ｉ、ＤＶＤ等のようなディスク型記録媒体（以下、単にディスクという）は、一般的にプラスチック製のハードケースで保護された状態で販売されることが多いが、雑誌や書籍に付帯させる場合には厚紙等からなる簡易包装材で保護して封入されることが多い。しかし、近年これらディスクは膨大な種類に及び、その傾向は益々強くなる状況であり、家庭内や職場内にて販売時のハードケースや厚紙等の簡易包装材を使い続けるには厚みが嵩み過ぎるという問題があった。
そこで、近年各種のディスクホルダーが提案され、例えば図１〜４に示すような構造のものが知られている。
【０００３】
図１のホルダー１は、シート２の略中央に、円弧状の切込み３，３が左右に設けられた構成であり、これらの切込み３，３を起立させた状態でディスクＡを臨ませ、左右の起立状の切込み片４をディスクＡの中心穴Ｂに挿入した後、各切込み片４を左右に開いてディスクＡを保持する。各切込み片４の径はディスクＡの中心穴Ｂと略同径に形成される。尚、図１（ｂ），（ｃ）は切込み片４の挿入状況、状態を示す部分拡大図である。
図２のホルダー５は、シート６の略中央部に、幅広の先端部分７を有する切込みを設けた構成であり、この切込み片８を立ち上げて先端部分７を強制的に狭めた状態でディスクＡの中心穴Ｂに挿入した後、先端部分７を左右に開いてディスクＡを保持する。
尚、これらのホルダー１，５は、支持強度が必要であるため、厚紙類や比較的硬質のプラスチック板（シート）などが素材として用いられることが多い。
【０００４】
図３のホルダー９は、２枚のシート１０，１１を積層させて一辺のみを開放部分１２とする袋状の構成であり、図４のホルダー９’は左右のホルダー９，９の開放部分１２，１２を内側に臨ませた折畳み状（ブック状）の製品として構成されている。
尚、これらのホルダー９，９’は、図示しない支持収納体に収納されることが多いので、不織布等の軟質素材が用いられることが多い。
【０００５】
【発明が解決しようとする課題】
しかしながら、前記図１のホルダー１は、所定の保持状態ではディスクＡを安定に保持できるものの、左右の切込み片４の径がディスクＡの中心穴Ｂと略同径に形成されているため、これをディスクＡの中心孔Ｂに挿入する際に摩擦等に抗して操作する必要があり、また左右の切込み片４が起立した状態を安定に維持できないために、操作が困難であった。さらに、ディスクＡの裏面（記録面）側から切込み片４を挿入する構成であるため、目測を誤ったりした場合に切込み片４の先端がディスクＡの記録面を傷付け易いという問題もあった。また、左右の切込み片４が起立した状態を安定に維持する場合には、ディスクＡへの挿入作業は容易となるが、その後に切込み片４を左右に開き難い（倒し難い）ものとなる。前記図２のホルダー５も同様であって、ディスクＡの保持操作が困難で、ディスクＡの記録面を傷付け易いという問題があった。
一方、図３のホルダー９は、開放部分１２からのディスクＡの挿入操作は極めて容易であるが、その開放部分１２からの脱落も生じ易いため、これ単独では到底使用できなかった。これに対して、図４のホルダー９’は、折畳み状の内側が開放部分１２であるため、これを閉じた状態では安定な保持性が得られるが、左右何れか一方のディスクＡを取り出す際に他方のディスクＡが動き（脱落し）易いという問題があった。
このように前記従来のホルダー１，５，９、９’は、図１や図２ではディスクＡを保持するための操作が複雑であったり、ディスクＡの記録面にキズを付け易いという問題があり、図３や図４ではディスクＡの脱落が生じ易く、安定に保持できないという問題があった。
そこで、本発明は、薄くて中央穴を有する各種のディスクを安定に且つ容易に収納、保持して不慮の脱落を防止することができるディスクホルダーを提案することを目的とする。
【０００６】
【課題を解決するための手段】
本発明は、上記に鑑み鋭意検討の末に見出されたもので、プラスチックシートからなる表面シートと裏面シートとを積層させると共に隣接する２辺が閉塞され、表面シートの略中央から閉塞された２辺が交わる角部に向かってディスクの中心穴の径より小さな間隔の２本の直線状切込みと半円状の切込みを設けることにより、先端形状が半円状の係止片を形成してなり、表面シートと裏面シートの間に位置させたディスクに対し、表面シートの係止片をディスクの中心穴に挿入させてディスクの脱落を防止することができるディスクホルダーに関するものである。
尚、表面シート、裏面シートは、説明を容易にするために便宜的に付記したものであり、収納するディスクの配置方向を限定するものでもないし、製品形態における表面、裏面とは異なる場合もある。例えば、後述する図６及び図７の図示実施例のように表裏両面が何れもプラスチックシートで構成され、しかも二面付け、四面付け等の製品形態とする場合には、折り畳んだ内面側に表面シートが位置する場合もある。
【０００７】
【発明の実施の形態】
本発明のディスクホルダーは、表面シートと裏面シートを積層させた構成であり、表面シートはプラスチックシートからなるが、裏面シートは特にその材質を限定するものではない。例えば裏面シートは、表面シートと同一のプラスチックシートでも良いし、その内面側（ディスクの記録面と接する面側）に不織布等のディスクより硬度の低いシートを貼り付けた複合素材でも良いし、不織布等のディスクより硬度の低いシートそのものでも良い。
【０００８】
表面シートは、プラスチックシートからなるが、係止片によるディスクの支持力を考慮すると、引張弾性率２００ＭＰａ以上、摩擦係数１．０以下、プリネル硬度５以上、ロックウエル硬度Ｒ−６０以上、厚み０．１〜１．０ｍｍの熱可塑性樹脂よりなり、ポリプロピレン、ポリエチレン等のポリオレフィン、ポリカーボネート、アクリル樹脂、ポリスチレン、ＡＢＳ樹脂、ポリエステル樹脂、生分解性樹脂、塩ビ樹脂単体、或いは複合化素材からなることが望ましい。
【０００９】
また、表面シートは、ディスクの表面が見えるように透明でも良いし、その表面（又は裏面）に硬化が速く熱履歴の少ない油性インキや紫外線硬化型インキ、電子線硬化型インキなどをシートの寸法を変化させないオフセット印刷、グラビア印刷、フレキソ印刷、スクリーン印刷などにて各種のデザイン、図柄等を印刷したものでも良い。尚、前述のように二面付けや四面付け等の製品形態とする場合には、折り畳んだ内面側に表面シートが位置するように設計されるので、特に限定するものではないが、その場合には裏面シート側に印刷が施されることが多い。
【００１０】
表面シートと裏面シートとは、略矩形状であって、隣接する２辺が閉塞され、他の部分は開放されている。尚、この「閉塞」は、内部のディスクがその辺から脱落しない状態となるものであれば良く、例えば後述する図示実施例（図５〜７）のように角部付近は開放していても良い。また、前述のように表面シートと裏面シートは同一素材でも別素材でも良いが、同一素材の場合には、閉塞される２辺は屈曲曲げや筋押し、ウエルドなどの加工にて形成され、別素材の場合には、ヒートシールや接着剤等による接着などにて閉塞される。さらに、必要に応じてディスクの出し入れ操作を妨げない程度に隣接する２辺に加えて他の辺の一部が閉塞されていても良い（図６参照）。
【００１１】
この表面シートには、略中央から閉塞された２辺が交わる角部に向かって、ディスクの中心穴の径より小さな幅の切込みが設けられる。この切込み（片）が係止片となる。この係止片を、ディスクの中心穴に挿入すると、係止片の表面側がディスクの記録面に接する場合もあるので、ディスクの記録面の保護を目的として係止片の表面に不織布等のディスクより硬度の低いシートを貼り付けることが望ましい。また、係止片の先端は、ディスクの記録面を傷付けないように半円形状であることが望ましい。さらにこの係止片のみに限らず、ディスクの記録面の保護を目的として、ディスクの記録面と接する可能性のある面、即ち表面シートや裏面シートの内面側をディスクより硬度の低いシートで構成することが望ましい。
【００１２】
以下、図面の実施例について説明する。
図５（ａ）に示すディスクホルダー１３は、表面シート１４も裏面シート１５も透明なプラスチックシートであり、隣接する２辺（１６，１７）が閉塞され、図面左辺の閉塞部１６は屈曲曲げにより、図面下辺の閉塞部１７はヒートシールにより閉塞され、これ以外の図面上方及び右方は開放され（開放部分２１）ている。
また、表面シート１４には、略中央から閉塞された２辺（１６，１７）が交わる角部１８に向かってディスクＡの中心穴の径Ｂより小さな幅で、先端形状が半円状の切込み１９が設けられている。この切込み１９が係止片２０となる。
【００１３】
このような構成のディスクホルダー１３にディスクＡを保持する手順を以下に説明する。
まず図５（ａ）の開放部分２１からディスクＡを入れて表面シート１４と裏面シート１５との間に位置させる。ディスクＡの径に対して開放部分２１は極めて広いので、この操作は極めて容易に実施でき、同じ袋状タイプである前記従来の図３のホルダー５に比べても明らかに容易に実施できる。
次に図５（ｂ）に示すように係止片２０を一旦立ち上げてその先端をディスクＡの中心穴Ｂに挿入する。ディスクＡの中心穴Ｂに対して係止片２０の幅は小さいので、この操作も極めて容易に且つ確実に実施でき、前記従来の図１，図２のホルダー１，５における切込み片４，８の挿入操作に比べても明らかに容易に且つ確実に実施できる。しかも係止片２０はディスクＡの表面側から裏面側へ挿入されるので、仮に目測を誤ったりした場合にも係止片２０の先端がディスクＡの裏面側の記録面を傷付けることがない。
そして、図５（ｃ）に示すように挿入した係止片２０をディスクＡの裏面側に沿わせて安定な保持状態を得る。この操作も何等困難な作業ではないが、広い開放部分２１から手を入れて操作することもでき、確実に図示するような保持状態を得ることができる。尚、同図より明らかなようにこの保持状態では係止片２０の上面とディスクＡの記録面とが接するので、傷付け防止を目的として係止片２０の上面に不織布等のディスクＡより硬度の低いシートを貼り付けるようにすることが望ましい。
この保持状態では、ディスクＡが閉塞部１６，１７方向へ動けないことは説明するまでもないが、ディスクＡが開放部分２１方向へ動こうとしても係止片２０の基端方向へスライドすることになるから、係止が深くなって脱落することがない。
【００１４】
このように本発明のディスクホルダー１３は、ディスクＡを保持する操作を極めて容易に且つ安定に行うことができる。
そして、ディスクＡが前後左右（図面では上下左右）に動こうとしても安定に収納、保持されているので、不慮の脱落を防止することができる。
また、このディスクホルダー１３は、極めて簡易な形状構成を有するものであって、その製造に際しても、抜き加工（切込み１９の形成）、曲げ加工（閉塞部１６の形成）、ヒートシール（閉塞部１７の形成）という極めて簡易な加工、工程により製造することができる。
【００１５】
図６に示すディスクホルダー２２は、前記図５に示すディスクホルダー１３が一面付けであったのに対し、二面付けの実施例であり、中央線２３に沿って折り畳まれて例えば前記従来の図４のホルダー９’と同様に折畳み状（ブック状）の製品として好適である。その形状構成は、前記図５と殆ど同様であるから、図面に同一符号を付して説明を省略する。また、単線の折り込み線（中央線２３）に代えて複線の折り込み線であっても良い。
尚、図示実施例では、外側辺及び下辺は何れもヒートシールにより閉塞される閉塞部１７とした。
このディスクホルダー２２は、左右のホルダーがそれぞれ独立して前述のようにディスクＡを保持する操作を極めて容易に且つ安定に行うことができ、ディスクＡを安定に収納、保持して不慮の脱落を防止することができる。したがって、前記従来の図４のホルダー９’のように、左右何れか一方のホルダー９からディスクＡを出し入れしている際に他方のホルダー９に保持させたディスクＡが動く（脱落する）ことがない。
【００１６】
また、図示実施例では、開放部分２１の端部には短幅の第二閉塞部２４を設けることにより、ディスクＡの動きを規制して係止片２０に作用する応力を軽減するようにした。即ち例えば図面左側のホルダーでは、ディスクＡは左方向及び下方向へは閉塞部１７，１７により動けないが、開放部分２１方向、より具体的には上方向、右上方向、右方向へ動こうとする。そこで、図示するような第二閉塞部２４が設けられると、少なくとも上方向、右方向の動きが規制され、左下方向へ（＝中央から角部１８へ）向かって形成された係止片２０にはそれと正対する右上方向へ向かう応力のみが作用することになり、仮に比較的軟質のプラスチックシートからなる表面シート１４であったとしても係止片２０の基端に捻れなどが生ずることがなく安定に保持することができる。
【００１７】
尚、このような第二閉塞部２４は、図示してはいないが前記図５に示すディスクホルダー１３にも、或いは後述する図７に示すディスクホルダー２５にも設けるようにしても良い。
【００１８】
図７に示すディスクホルダー２５は、前記図５に示すディスクホルダー１３が一面付け、前記図６に示すディスクホルダー２２が二面付けであったのに対し、四面付けの実施例であり、まず中央線２３Ａに沿って折り畳まれ、次に中央線２３Ｂに沿って折り畳まれて折畳み状（ブック状）の製品とされる構成である。
【００１９】
前述のように図６及び図７の図示実施例では、表裏両面が何れもプラスチックシートで構成され、二面付け、四面付け等の製品形態とし、折り畳んだ内面側に表面シート１４が位置する場合であるから、特に限定するものではないが、この場合には裏面シート１５側に印刷を施すことが多い。
【００２０】
【実施例】
〔実施例１〕
２軸延伸ポリプロピレンシート（厚み２００μｍ、上総化成社製；内面にエアマット加工を施したもの）を用い、所定の大きさにカッティング及び切り込み加工を行い、高周波ウェルダーを用いて隣接する２辺のウェルド加工を行い、前記図５に示すような概略形状を有する製品を得た。尚、用いたポリプロピレンシートは、引張弾性率２０００ＭＰａ、ブリネル硬度２５、摩擦係数０．４０であって、表面シートとなる側の内面に紫外線硬化型インキによるオフセット印刷を行った。
得られたディスクホルダーは、コンパクトディスクを収納、保持する操作が極めて簡易であり、保持されたコンパクトディスクは前後左右を含むどの方向に振ってみても安定に保持されていた。
【００２１】
〔実施例２〕
無延伸の生分解性シート（厚み１５０μｍ、三菱樹脂社製）を用い、所定の大きさにカッティング及び切り込み加工を行い、高周波ウェルダーを用いて隣接する２辺のウェルド加工を行い、前記図５に示すような概略形状を有する製品を得た。尚、用いた生分解性シートは、引張弾性率３４００ＭＰａ、ブリネル硬度３０、摩擦係数０．２８であって、表面シートとなる側の外面に紫外線硬化型インキによるシルク印刷を行った。
得られたディスクホルダーは、コンパクトディスクを収納、保持する操作が極めて簡易であり、保持されたコンパクトディスクは前後左右を含むどの方向に振ってみても安定に保持されていた。
【００２２】
以上本発明を実施例に基づいて説明したが、本発明は前記実施例に限定されるものではなく、特許請求の範囲に記載の構成を変更しない限りどのようにでも実施することができる。
【００２３】
【発明の効果】
以上説明したように本発明のディスクホルダーは、各種のディスクを安定に且つ容易に収納、保持して不慮の脱落を防止することができる。
【図面の簡単な説明】
【図１】（ａ）従来のディスクホルダーの一例を示す平面図、（ｂ）切込み片を挿入する状況を示す拡大断面図、（ｃ）切込み片を挿入した状態を示す拡大断面図である。
【図２】従来のディスクホルダーの他の一例を示す平面図である。
【図３】従来のディスクホルダーの他の一例を示す平面図である。
【図４】従来のディスクホルダーの他の一例を示す平面図である。
【図５】（ａ）本発明のディスクホルダーの一例を示す平面図、（ｂ）係止片を挿入する状況を示す一部を欠截した断面図、（ｃ）係止片を挿入した状態を示す一部を欠截した断面図、（ｄ）一部を欠截した平面図である。
【図６】本発明のディスクホルダーの他の一例を示す拡開した状態の平面図である。
【図７】本発明のディスクホルダーの他の一例を示す拡開した状態の平面図である。
【符号の説明】
１３，２２，２５  ディスクホルダー
１４  表面シート
１５  裏面シート
１６  （屈曲曲げによる）閉塞部
１７  （ヒートシールによる）閉塞部
１８  角部
１９  切込み
２０  係止片
Ａ  ディスク
Ｂ  中心穴
【図１】
0004575573.tif 000002
【図２】
0004575573.tif 000003
【図３】
0004575573.tif 000004
【図４】
0004575573.tif 000005
【図５】
0004575573.tif 000006
【図６】
0004575573.tif 000007
【図７】
0004575573.tif 000008